(57)【要約】      （修正有）【課題】プリンタの周辺のスペースを大きくとらなくても、該プリンタのフレームに取り付けられたカバーを開閉することのできるカバー構造およびそれが備えられたプリンタを提供する。【解決手段】プリンタ１０のフレーム１３に回動可能に取付けられ、上カバー１４Ａと、上カバーの下端部に回動可能に連結される下カバー１４Ｂと、フレーム１３の下カバー１４Ｂと対角線上の位置に取り付けられる支持部材３０と、一端が支持部材３０にフレーム側回動軸３６を介して回動可能に配置され、他端が下カバー１４Ｂにカバー側回動軸３７を介して回動可能に配置される連接部材３４とを備え、支持部材３０が上下方向に沿ってフレーム側回動軸３６を摺動可能に支持するレール３１を有し、レール３１が、フレーム側回動軸３６、連接部材３４及びカバー側回動軸３７を介して、上カバー１４Ａに対する下カバー１４Ｂの相対的な回動動作を規制する。【選択図】図４
2015063100.tif 000002
【特許請求の範囲】
【請求項１】
プリンタのカバー構造であって、
前記プリンタのフレームに回動可能に取付けられ、前記プリンタの内部機構の上面及び側面上部を少なくとも部分的に覆う上カバーと、
前記上カバーの下端部に回動可能に連結され、前記内部機構の側面下部を少なくとも部分的に覆う下カバーと、
前記下カバーの全閉位置で前記プリンタの正面から観た断面視において、前記フレームの前記下カバーと対角線上の位置に取り付けられる支持部材と、
一端が前記支持部材にフレーム側回動軸を介して回動可能に配置され、他端が前記下カバーにカバー側回動軸を介して回動可能に配置される連接部材とを備え、
前記支持部材が上下方向に沿って前記フレーム側回動軸を摺動可能に支持するレールを有し、
前記レールが、前記フレーム側回動軸、前記連接部材及び前記カバー側回動軸を介して、前記上カバーに対する前記下カバーの相対的な回動動作を規制することを特徴とするプリンタのカバー構造。
【請求項２】
前記フレーム側回動軸が複数備えられ、各前記フレーム側回動軸が前記連接部材の長手方向に沿って並んで配置され、
前記レールが複数備えられ、各レールが各フレーム側回動軸に対応して設けられることを特徴とする請求項１に記載のプリンタのカバー構造。
【請求項３】
前記連接部材が、前記下カバーの全閉位置において前記内部機構に衝突しないよう、前記フレーム側回動軸から前記下カバーの上端部近傍に至る本体部と、前記下カバーの上端部近傍から前記下カバーに沿って下方に向け屈曲し、前記カバー側回動軸に至る屈曲部とを有することを特徴とする請求項１又は２に記載のプリンタのカバー構造。
【請求項４】
前記レールが前記プリンタの正面から観た断面視において略７の字状に形成され、前記フレーム側回動軸を係止して前記上カバーの全開位置を保持する係止部を上端の左側垂下部に有することを特徴とする請求項１に記載のプリンタのカバー構造。
【請求項５】
前記複数のレールのうち右寄りのレールが前記プリンタの正面から観た断面視において略７の字状に形成され、前記複数のフレーム側回動軸のうち右寄りのフレーム側回動軸を係止して前記上カバーの全閉位置を保持する係止部を上端の左側垂下部に有することを特徴とする請求項２に記載のプリンタのカバー構造。
【請求項６】
印字媒体に印字を行う内部機構と、
前記内部機構を支持するフレームと、
請求項１ないし５のいずれか１項に記載のプリンタのカバー構造と、
を備えることを特徴とするプリンタ。
【発明の詳細な説明】
【技術分野】
【０００１】
本発明はカバー構造およびそれが備えられたプリンタに関する。
【背景技術】
【０００２】
プリンタは、印字対象となるロール紙等を内蔵し、該ロール紙を交換するためのカバーを開閉可能に取付けて構成される。プリンタのこのようなカバー構造としては、たとえば、下記特許文献１、特許文献２に開示がなされている。
【０００３】
特許文献１は、開閉構造ユニットの上部ユニットの開閉に連動させる箱体を該開閉構造ユニットの両側面近傍に配置された一対のスライド蝶番を有する支持機構でケーシングに対して開閉自在に支持する構成が開示されている。
【０００４】
特許文献２は、開閉カバーの内側面にガイドレールが設けられ、該開閉カバーを開放位置へ回動させたとき、ガイドレールに沿ってスライドするステーの突起部がガイドレールに形成された第２規制部を乗り越え、第１規制部との間に入り込むことによって、開閉カバーをほぼ起立した開放位置で固定させるプリンタが開示されている。
【０００５】
しかし、このように構成されたカバー構造は、いずれも、カバー（蓋体）をその一端辺の近傍を中心にして一定範囲内で回転させる構成としているため、プリンタの周辺においてカバーを干渉させることのない大きなスペースをとらなくてはならない不都合を有していた。
【先行技術文献】
【特許文献】
【０００６】
【特許文献１】特開２００１−１４５４９号公報
【特許文献２】特開２０００−７１５５６号公報
【発明の概要】
【発明が解決しようとする課題】
【０００７】
本発明は、このような事情に鑑みてなされたものであり、その目的は、プリンタの周辺のスペースを大きくとらなくても、該プリンタのフレームに取り付けられたカバーを開閉することのできるカバー構造およびそれが備えられたプリンタを提供することにある。
【課題を解決するための手段】
【０００８】
本発明は、以下の構成によって把握される。
（１）本発明は、プリンタのカバー構造であって、前記プリンタのフレームに回動可能に取付けられ、前記プリンタの内部機構の上面及び側面上部を少なくとも部分的に覆う上カバーと、前記上カバーの下端部に回動可能に連結され、前記内部機構の側面下部を少なくとも部分的に覆う下カバーと、前記下カバーの全閉位置で前記プリンタの正面から観た断面視において、前記フレームの前記下カバーと対角線上の位置に取り付けられる支持部材と、一端が前記支持部材にフレーム側回動軸を介して回動可能に配置され、他端が前記下カバーにカバー側回動軸を介して回動可能に配置される連接部材とを備え、前記支持部材が上下方向に沿って前記フレーム側回動軸を摺動可能に支持するレールを有し、前記レールが、前記フレーム側回動軸、前記連接部材及び前記カバー側回動軸を介して、前記上カバーに対する前記下カバーの相対的な回動動作を規制することを特徴とする。
【０００９】
（２）本発明のプリンタのカバー構造は、（１）の構成において、前記フレーム側回動軸が複数備えられ、各前記フレーム側回動軸が前記連接部材の長手方向に沿って並んで配置され、前記レールが複数備えられ、各レールが各フレーム側回動軸に対応して設けられることを特徴とする。
【００１０】
（３）本発明のプリンタのカバー構造は、（１）又は（２）の構成において、前記連接部材が、前記下カバーの全閉位置において前記内部機構に衝突しないよう、前記フレーム側回動軸から前記下カバーの上端部近傍に至る本体部と、前記下カバーの上端部近傍から前記下カバーに沿って下方に向け屈曲し、前記カバー側回動軸に至る屈曲部とを有することを特徴とする。
【００１１】
（４）本発明のプリンタのカバー構造は、（１）の構成において、前記レールが前記プリンタの正面から観た断面視において略７の字状に形成され、前記フレーム側回動軸を係止して前記上カバーの全開位置を保持する係止部を上端の左側垂下部に有することを特徴とする。
【００１２】
（５）本発明のプリンタのカバー構造は、（２）の構成において、前記複数のレールのうち右寄りのレールが前記プリンタの正面から観た断面視において略７の字状に形成され、前記複数のフレーム側回動軸のうち右寄りのフレーム側回動軸を係止して前記上カバーの全閉位置を保持する係止部を上端の左側垂下部に有することを特徴とする。
【００１３】
（６）本発明のプリンタは、印字媒体に印字を行う内部機構と、前記内部機構を支持するフレームと、（１）ないし（５）のいずれか構成のプリンタのカバー構造と、を備えることを特徴とする。
【発明の効果】
【００１４】
このようなカバー構造およびそれが備えられたプリンタによれば、プリンタの周辺のスペースを大きくとらなくても、該プリンタのフレームに取り付けられたカバーを開閉することができるようになる。
【図面の簡単な説明】
【００１５】
【図１】本発明のカバー構造が適用されるプリンタの実施形態を示す斜視図である。
【図２】プリンタの内部機構の概略を示す図で、プリンタのカバーを開けた図である。
【図３】図２と対応する図で、プリンタのカバーを閉じた図である。
【図４】プリンタのフレームに対するカバーの取付け構造と、この取付け構造に規定されるカバーの開閉動作を示す動作図である。
【図５】図４に続くカバーの開閉動作を示す動作図である。
【図６】図５に続くカバーの開閉動作を示す動作図である。
【図７】図６に続くカバーの開閉動作を示す動作図である。
【図８】図７に続くカバーの開閉動作を示す動作図である。
【図９】図４ないし図８の一連の動作において、理解を容易にするため、支持部材、連接部材、上カバー、下カバーを抜き出して示した図である。
【図１０】図４ないし図８の一連の動作において、第１レール内の第１フレーム側回動軸の位置、第２レール内の第２フレーム側回動軸の位置の関係を示した図である。
【発明を実施するための形態】
【００１６】
以下、添付図面を参照して、本発明を実施するための形態（以下、実施形態）について詳細に説明する。なお、実施形態の説明の全体を通して同じ要素には同じ番号を付している。
（実施形態１）
図１は、本発明のカバー構造が適用されるプリンタの実施形態を示す斜視図である。
【００１７】
図１に示すプリンタ１０は、たとえば、帯状の台紙にラベルが仮着されたロール状のラベル連続体を収納し、該ラベル連続体を巻き取っていくとともにラベルに印字し、印字されたラベルを台紙から剥離させてラベル取出口から取り出せるようにしたものとなっている。
【００１８】
図１において、プリンタ１０は、ほぼ長方体の外形をなし、図中Ａ方向から観た側面が正面となっている。プリンタ１０の正面には、その図中左側において、プリンタの操作を行なうための操作部１１が設けられ、図中右側において、印字されたラベルを取り出せるラベル取出口１２Ａを有するラベル取出部１２が設けられている。
【００１９】
操作部１１は、ラベルの印字内容等を設定する入力部１１Ａ、該入力部１１Ａによって設定された印字内容を表示する表示部１１Ｂのほか、操作に必要なボタン等が備えられている。そして、操作部１１の後方部であって、プリンタ１０の背面（図中符号Ｃで示す）まで及ぶ領域内に、制御部およびこの制御部によって駆動されるモータ等の駆動部を含む駆動制御部（図示せず）が設けられている。この駆動制御部はプリンタ１０の外枠の一部を構成するフレーム１３（後述のカバー１４を除く外枠）の内部に配置されている。
【００２０】
また、ラベル取出部１２の後方部であって、プリンタ１０の背面Ｃにまで及ぶ領域内に、収納されたラベル連続体（図２にて符号１９で示す）を巻取る機構、ラベル連続体１９のラベルに印字を行う機構（図２にて符号２２で示す）、ラベル連続体１９のラベルを剥離する機構（図２にて符号２５で示す）を含む内部機構が収納されている。この内部機構については、さらに後述する。
【００２１】
プリンタ１０の内部機構は、開閉が可能なカバー１４によって被われ、たとえば、ラベル連続体１９を交換するような場合において、このカバー１４を開けることができるようになっている。カバー１４は、前記駆動制御部を被うフレーム１３の上面にヒンジ１５を介して回動可能に取付けられ、前記内部機構の上面及び側面上部を被う上カバー１４Ａと、上カバー１４Ａの下端部にヒンジ１６を介して回動可能に連結され、前記内部機構の側面下部を被う下カバー１４Ｂとを含んで構成されている。
【００２２】
このように構成されるカバー１４は、その上カバー１４Ａがヒンジ１５を中心にして全閉から約４５°回転する過程において下カバー１４Ｂが地面Ｇに対して垂直に維持され、その後、上カバー１４Ａがプリンタ１０の上方に位置づけられるまでの回転では、上カバー１４Ａの回転角度に応じて下カバー１４Ｂが上カバー１４Ａに対して角度が小さくするように回転できるようになっている。
【００２３】
ここで、カバー１４の上述した開閉動作を行う機構（カバー取付け構造）の説明に先立って、プリンタ１０の内部機構の概略を説明する。
【００２４】
図２は、プリンタ１０の内部機構の概略を示す図で、プリンタ１０のカバー１４（１４Ａ、１４Ｂ）を開けた図で、図１のＢ方向から観た側面図となっている。なお、図３は、図２と対応する図で、カバー１４（１４Ａ、１４Ｂ）を閉じた場合の側面図である。
【００２５】
図２において、プリンタ１０の内部機構は、この内部機構を駆動する前記駆動部と画される内壁面１７（フレームの一部を構成する）上に構成されている。まず、内壁面１７にラベル供給軸１８が突出され、ロール状のラベル連続体１９がラベル供給軸１８に挿入されて配置されている。ラベル連続体１９は、一方向に延在する帯状の台紙と、この台紙の一方の面に該延在方向に連続して仮着された複数のラベルとを含んで構成されている。
【００２６】
ラベル連続体１９の一端は搬送通路αに導かれラベル取出口１２Ａへ向けて引き出されるようになっている。搬送通路α上におけるラベル連続体１９の各ラベルは図中上側の面に仮着されるようになっている。
【００２７】
ラベル取出口１２Ａの手前におけるラベル連続体１９は、プラテンローラ２０上を走行するようになっており、このプラテンローラ２０上において、ラベル連続体１の各ラベルは、後述のインクリボン２１、サーマルヘッド２２によって印字がなされるようになっている。
【００２８】
すなわち、前記内壁面１７にリボン供給軸２３が突出され、ロール状に巻回されたインクリボン２１がリボン供給軸２３に挿入されて配置されている。インクリボン２１は搬送通路γに沿って引き出され、プラテンローラ２０上を走行するラベル連続体１９の上面（ラベルが仮着された面）に対向し、内壁面１７に突出されたリボン巻取軸２４に巻き取られるようになっている。この場合、インクリボン２１の走行速度とラベル連続体１９の走行速度は同じになっている。
【００２９】
プラテンローラ２０の上方にはサーマルヘッド２２が配置され、サーマルヘッド２２は、プラテンローラ２０との間に、ラベル連続体１９およびインクリボン２１を重ねて挟持できるようになっている。
【００３０】
サーマルヘッド２２は、通電によって発熱する微細な発熱体の集合体からなり、これら発熱体の熱によって溶融されたインクリボン２１のインクがラベル連続体１９の各ラベルに付着されることによって印字がなされるようになっている。
【００３１】
このように印字がなされた各ラベルは、ラベル剥離部２５によってラベル連続体１９の台紙から剥離されるようになっている。ラベル剥離部２５は、プラテンローラ２０上を走行するラベル連続体１９を図中下方へ方向変換させて搬送させることにより、コシのある各ラベルは、台紙から剥離されながら、搬送通路αの延長線上にあるラベル取出口１２Ａへ送出されるようになっている。
【００３２】
なお、ラベルが剥離されたラベル連続体１９の台紙は、搬送通路βに導かれ、内壁面１７に突出された台紙巻取軸２６に巻き取られるようになっている。
【００３３】
図４ないし図８は、プリンタ１０のフレーム１３に対するカバー１４の取付け構造と、この取付け構造に規定されるカバー１４の開閉動作を示した動作図である。
【００３４】
図４に示すように、まず、カバー１４は全閉となっており、フレーム１３にヒンジ１５を介して取り付けられた上カバー１４Ａは、プリンタ１０の内部機構の上面および側面上部を被うように配置され、上カバー１４Ａにヒンジ１６を介して取り付けられた下カバー１４Ｂは、内部機構の側面下部を被うように配置されている。
【００３５】
そして、内壁面１７には、その上部の中央において、支持部材３０が取付けられている。この支持部材３０は、下カバー１４Ｂの全閉位置でプリンタ１０の正面から観た断面視において、下カバー１４Ｂと対角線上の位置に取り付けられている。支持部材３０は内壁面１７に対して垂直に配置された板材からなり、その一方の面から他方の面に貫通する長孔からなる第１レール３１、第２レール３２が形成されている。プリンタ１０の正面から観た断面視において、第１レール３１は右寄りに形成され、第２レール３２は左寄りに形成されている。第１レール３１は、プリンタ１０の正面から観た断面視において、略７の字状に形成され、第２レール３２は、第１レール３１の上端の左側の垂下部３１Ａの延長上に該垂下部３１Ａと離間して略１の字状に形成されている。
【００３６】
支持部材３０の第１レール３１、第２レール３２には、連接部材３４の一端がそれぞれ係合されるようになっている。すなわち、連接部材３４の一端には、該一端から連接部材３４の延在方向に沿って第２フレーム側回動軸３５、第１フレーム側回動軸３６が形成され、第２フレーム側回動軸３５は第２レール３２に挿入され、第１フレーム側回動軸３６は第１レール３１に挿入されるようになっている。また、連接部材３４は、下カバー１４Ｂ側へ延在した他端において、下カバー１４Ｂの内側面のほぼ中央に回動可能に取付けられるカバー側回動軸３７が形成されている。
【００３７】
そして、支持部材３０の第２レール３２に挿入される第２フレーム側回動軸３５は、スプリング３８を介して下側に付勢され、これにより、カバー１４が全閉されている状態では、第２フレーム側回動軸３５は第２レール３２の下端に位置づけられ、同様に第１フレーム側回動軸３６は第１レール３１の下端に位置づけられるようになっている。
【００３８】
なお、連接部材３４は、下カバー１４Ｂの全閉位置において内部機構（たとえば搬送通路α）に衝突しないよう、フレーム側回動軸（第１フレーム側回動軸３６、第２フレーム側回動軸３５）から下カバー１４Ｂの上端部近傍に至る本体部３４Ａと、下カバー１４Ｂの上端部近傍から下カバー１４Ｂに沿って下方に向け屈曲し、カバー側回動軸３７に至る屈曲部３４Ｂとを有するように形成されている。
【００３９】
このように構成されたカバー１４の取付け構造において、図５は、上カバー１４Ａをヒンジ１５を中心にして角度θ１（＜４５°）に回転させた場合を示している。なお、図５において図４に示したスプリング３８の記載は省略している。また、図５ないし図８においても同様となっている。連接部材３４の第２フレーム側回動軸３５は第２レール３２の下端に位置づけられたままで、第１フレーム側回動軸３６が第１レール３１の下端から離間するように移動するようになる。そして、これによる連接部材３４の移動が連接部材３４の他端に回動自在に取付けた下カバー１４Ｂを地面Ｇに対して垂直に維持されるようになっている。
【００４０】
図６は、上カバー１４Ａをヒンジ１５を中心に角度θ２（４５°）に回転させた場合を示している。連接部材３４の第２フレーム側回動軸３５は第２レール３２の下端より若干上方に位置づけられ、第１フレーム側回動軸３６が第１レール３１の下端からさらに離間するように移動するようになる。そして、これによる連接部材３４の移動が連接部材３４の他端に回動自在に取付けた下カバー１４Ｂが地面Ｇに対して垂直に維持されるようになっている。
【００４１】
図７は、上カバー１４Ａをヒンジ１５を中心に角度θ３（９０°）に回転させた場合を示している。連接部材３４の第２フレーム側回動軸３５は、スプリング３８（図４参照）の付勢力に抗して第２レール３２の上端に位置づけられ、第１フレーム側回動軸３６が第１レール３１の上端にまで移動するようになる。この場合、上カバー１４Ａの回転角度θ３に応じて下カバー１４Ｂが上カバー１４Ａに対して角度が小さくなるように回転するようになっている。
【００４２】
図８は、上カバー１４Ａをヒンジ１５を中心に角度θ４（＞９０°）に回転させた場合を示している。連接部材３４の第２フレーム側回動軸３５は、第２レール３２の上端から下端側に若干戻り、第１フレーム側回動軸３６が第１レール３１の上端の左側の垂下部３１Ａに位置づけられるようになる。この場合、上カバー１４Ａの回転角度θ４に応じて下カバー１４Ｂが上カバー１４Ａに対して角度が小さくなるように回転するようになっている。そして、第１フレーム側回動軸３６が第１レール３１の上端の左側の垂下部３１Ａに係止されることによって、上カバー１４Ａおよび下カバー１４Ｂが上述した位置で停止された状態を維持できるようになる。この場合、下カバー１４Ｂは上カバー１４Ａと重なり、カバー１４の嵩張りを少なくできるようになっている。
【００４３】
図９は、図４ないし図８の一連の動作において、理解を容易にするため、支持部材３０、連接部材３４、上カバー１４Ａ、下カバー１４Ｂを抜き出し、上カバー１４Ａをリンクとして描画した図としたものである。図９（ａ）ないし（ｅ）は、それぞれ、図４ないし図８に対応した図となっている。上カバー１４Ａがヒンジ１５を中心にして全閉から約４５°回転するまでは下カバー１４Ｂが地面Ｇに対して垂直に維持され（図９（ａ）ないし（ｃ））、その後、上カバー１４Ａがプリンタ１０の上方に位置づけられるまでの回転では、上カバー１４Ａの回転角度に応じて下カバー１４Ｂが上カバー１４Ａに対して角度が小さくするように回転するようになっている（図９（ｄ）、（ｅ））。この場合、図９（ｄ）、（ｅ）から明らかとなるように、下カバー１４Ｂは、地面Ｇに対して角度が変化せず、また、図９（ｅ）から明らかとなるように、上カバー１４Ａは、プリンタ１０の全閉状態にある下カバー１４Ｂが配置される側面と反対側の側面の延長面（図中Ｅで示す）からはみ出すことなく停止状態を維持できるようになっている。
【００４４】
なお、図４ないし図８の一連の動作において、図１０は、第１レール３１内の第１フレーム側回動軸３６の位置、第２レール３２内の第２フレーム側回動軸３５の位置の関係を示した図である。図中１点鎖線で接続される第１フレーム側回動軸３６と第２フレーム側回動軸３５は図示しない連接部材３４によって相互の位置関係が規制されていることを示している。
【００４５】
上述したように、第２フレーム側回動軸３５および第１フレーム側回動軸３６が連接部材３４（１点鎖線）に沿って並んで配置され、第２フレーム側回動軸３５の動きは第２レール３２によって規制され、同様に第１フレーム側回動軸３６の動きは第１レール３１によって規制されるようになっている。
【００４６】
上カバー１４Ａ、下カバー１４Ｂの全閉から完全な開放に至る過程は、順次、図中ａ、ｂ、ｃ、ｄ、……、ｊに示す状態を経ることになっている。すなわち、図中ａに示す第１フレーム側回動軸３６と第２フレーム側回動軸３５の位置は図９（ａ）に対応し、同様に図中ｂに示す第１フレーム側回動軸３６と第２フレーム側回動軸３５の位置は図９（ｂ）に対応し、図中ｅに示す第１フレーム側回動軸３６と第２フレーム側回動軸３５の位置は図９（ｃ）に対応し、図中ｉに示す第１フレーム側回動軸３６と第２フレーム側回動軸３５の位置は図９（ｄ）に対応し、図中ｊに示す第１フレーム側回動軸３６と第２フレーム側回動軸３５の位置は図９（ｅ）にそれぞれ対応している。この場合、上述したように、図中ｊの状態における第１フレーム側回動軸３６は、第１レール３１の垂下部３１Ａに係止され、連接部材３４（１点鎖線）は、動きが停止され、上カバー１４Ａ、下カバー１４Ｂの位置を保持できるようになる。
【００４７】
（実施形態２）
実施形態１に示したプリンタ１０は、台紙にラベルが仮着されたロール状のラベル連続体１９を収納し、該ラベル連続体１９を巻き取っていくとともにラベルに印字し、印字がなされたラベルを台紙から剥離させてラベル取出口１２Ａから取り出せるようにしたものを示したものである。しかし、これに限定されことはなく、ラベル取出口１２Ａの近傍にカッタユニットを備えるようにし、印字後のラベルを台紙から剥離させることなく、所定枚数のラベル毎に該カッタユニットによって台紙を切断して、ラベル取出口１２Ａへ送出する構成のものにも適用できることはもちろんである。
【００４８】
なお、本発明の実施形態のプリンタで印字したラベルは、帯状の台紙にラベルが仮着されたロール状のラベル連続体で説明したが、これに限らず、ラベルの一面に粘着剤層と、他面に剥離剤層を有してロール状に巻回した台紙のない台紙なしラベル連続体であっても良い。台紙なしラベル連続体を使用する時は、表面を剥離処理したプラテンローラおよびラベルの搬送通路には剥離処理した部材を使用する。さらに、ジャーナル紙やタグなどの台紙や粘着剤層を有さない印字媒体であっても良い。
【００４９】
また、本発明のプリンタは、インクリボンのインクをサーマルヘッドの熱で印字媒体に転写する熱転写方式に限定するものではなく、インクリボンを用いないで熱で印字媒体のサーマル層を発色させる感熱方式、インクを吐出して印字媒体の表面にインクを付着させるインクジェット方式であってもよい。
【００５０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５１】
１０              プリンタ
１１              操作部
１１Ａ            入力部
１１Ｂ            表示部
１２              ラベル取出部
１２Ａ            ラベル取出口
１３              フレーム
１４              カバー
１４Ａ            上カバー
１４Ｂ            下カバー
１５              ヒンジ
１７              内壁面（フレーム）
１８              ラベル供給軸
１９              ラベル連続体
２０              プラテンローラ
２１              インクリボン
２２              サーマルヘッド
２３              リボン供給軸
２４              リボン巻取軸
２５              ラベル剥離部
２６              台紙巻取軸
３０              支持部材
３１              第１レール
３１Ａ            垂下部
３２              第２レール
３４              連接部材
３５              第２フレーム側回動軸
３６              第１フレーム側回動軸
３７              カバー側回動軸
３８              スプリング
【図１】
2015063100.tif 000003
【図２】
2015063100.tif 000004
【図３】
2015063100.tif 000005
【図４】
2015063100.tif 000006
【図５】
2015063100.tif 000007
【図６】
2015063100.tif 000008
【図７】
2015063100.tif 000009
【図８】
2015063100.tif 000010
【図９】
2015063100.tif 000011
【図１０】
2015063100.tif 000012